(57)【要約】【課題】排水流路において雨水がまとまって落下して大きな音が発生することを抑制することができる排水部材を提供する。【解決手段】雨水を排出する排水流路２の一部を構成する縦管状部２０を備える。縦管状部２０に設けられて縦管状部２０内に形成された流路２１を上下に仕切る網状の消音用部材４を備える。【選択図】図１
2013068004.tif 000002
【特許請求の範囲】
【請求項１】
雨水を排出する排水流路の一部を構成する縦管状部と、この縦管状部に設けられて前記縦管状部内に形成された流路を上下に仕切る網状の消音用部材を備えたことを特徴とする排水部材。
【請求項２】
前記消音用部材の中央部を盛り上がらせたことを特徴とする請求項１に記載の排水部材。
【発明の詳細な説明】
【技術分野】
【０００１】
本発明は、雨水を排出する排水流路の一部を構成する排水部材に関する。
【背景技術】
【０００２】
特許文献１には、竪樋の下端部に竪樋継手を介してエルボーを接続した排水流路が開示されている。
【先行技術文献】
【特許文献】
【０００３】
【特許文献１】特開平９−１２５６３６号公報
【発明の概要】
【発明が解決しようとする課題】
【０００４】
ところで、前述したように竪樋の下方にエルボーを設けた場合、竪樋内の雨水がまとまってエルボーの内底面に落下し、この際に大きな音が発生することが懸念される。
【０００５】
また、特許文献１では、雨水が流れる際に発生する音を軽減するため、竪樋継手の内壁面から斜め下方へ向けて突出する邪魔板を設け、竪樋継手における雨水の流れを減速するようにしている。しかし、この特許文献１も、前記邪魔板の先端縁と竪樋継手の対向する内壁面との間に形成された隙間から雨水がまとまって落下し、これにより音が発生する可能性がある。
【０００６】
本発明は上記事情に鑑みてなされたものであって、排水流路において雨水がまとまって落下して大きな音が発生することを抑制することができる排水部材を提供することを課題とする。
【課題を解決するための手段】
【０００７】
上記課題を解決するために本発明の排水部材は、雨水を排出する排水流路の一部を構成する縦管状部と、この縦管状部に設けられて前記縦管状部内に形成された流路を上下に仕切る網状の消音用部材を備えたことを特徴とする。
【０００８】
また、前記消音用部材の中央部を盛り上がらせることが好ましい。
【発明の効果】
【０００９】
本発明にあっては、排水流路において雨水がまとまって落下して大きな音が発生することを抑制することができる。
【図面の簡単な説明】
【００１０】
【図１】第一実施形態の排水枡を示し、図３（ｂ）のＡ−Ａ断面図である。
【図２】第一実施形態の排水流路を示す説明図である。
【図３】第一実施形態の排水枡を示し、（ａ）は正面図であり、（ｂ）は側面図であり、（ｃ）は平面図である。
【図４】図３のＢ−Ｂ断面図である。
【図５】第二実施形態の排水枡と竪樋との接続構造を示す断面図である。
【図６】第二実施形態の消音用部材を示す平面図である。
【図７】第三実施形態の継手と上下の竪樋との接続構造を示す断面図である。
【図８】第三実施形態の排水流路を示す説明図である。
【発明を実施するための形態】
【００１１】
以下、本発明を添付図面に基づいて説明する。
【００１２】
（第一実施形態）
本実施形態の排水部材１は図１及び図３に示す排水枡６であり、この排水枡６は例えば図２に示す排水流路２を設ける際に用いられる。排水流路２は陸屋根を有する建物３の外壁面１６に沿って設けられ、陸屋根上の水を排出する。排水流路２は、上流側から順に設けられた、横引き管５（図１参照）、排水枡６、竪樋７、及びエルボー８で構成されており、排水枡６は横引き管５と竪樋７を連結する継手として機能する。図２における符号９は竪樋７を建物３の外壁面１６に固定するための控え具である。
【００１３】
排水枡６は、図１に示すように、枡本体１２と、枡本体１２に対して着脱自在に取り付けられる蓋体１３を有している。枡本体１２は、上下に開口する角筒状で軸方向が上下方向と平行となる縦筒部１４と、縦筒部１４から建物３側に向けて一体に突出した円筒状の横筒部１５を有している。
【００１４】
縦筒部１４の横筒部１５よりも上方に突出した上端部には、前記蓋体１３が被さるようにして嵌め付けられ、この蓋体１３により縦筒部１４の上端開口部は閉塞される。横筒部１５には建物３の外壁面１６から突出した円管状の横引き管５の下流側端部が接続され、横引き管５に流れ込んだ陸屋根上の雨水は、横筒部１５から排水枡６に流入するようになっている。
【００１５】
本実施形態では、縦筒部１４の横筒部１５よりも下方に突出した下部が後述する消音用部材４が設けられる部分とされており、以下、前記縦筒部１４の下部を縦管状部２０と記載する。縦管状部２０には角型の竪樋７の上端部が接続され、前記排水枡６に流れ込んだ雨水は縦筒部１４の下端開口部を経て竪樋７へと流れるようになっている。また、図２に示すように、エルボー８の一端部には竪樋７の下端部に接続される接続口部１７が形成され、エルボー８の他端部には竪樋７からエルボー８に流れ込んだ雨水を排出するための排出口部１８が形成されている。
【００１６】
陸屋根上の雨水は、前記排水流路２の横引き管５、排水枡６、及び竪樋７を順に経て、エルボー８に流れ、この後、エルボー８の略横向きに開口した排出口部１８から排出される。
【００１７】
図２に示す排水流路２には、前記排水枡６の縦筒部１４、竪樋７、及びエルボー８の上端部で構成される上下に長い一直線状の縦流路が設けられ、また、この縦流路の下方にエルボー８で構成された屈曲部分が設けられる。このため、排水枡６の横筒部１５から縦筒部１４に流れ込んだ雨水のうち、特に縦筒部１４の水平断面における中央に流れ込んだ雨水は、下方のエルボー８まで一気に落下し、この雨水がエルボー８の内底面に衝突して大きな音が発生することが懸念される。そこで、本実施形態では、前記音の発生を抑制するため、図１に示すように排水枡６の縦管状部２０に消音用部材４を設けている。
【００１８】
消音用部材４は排水流路２の一部を構成する縦管状部２０と一体に形成されている。消音用部材４は図４に示すように網状を成し、平面視で縦管状部２０内に形成された流路２１の全体に亘っており、流路２１を上下に仕切っている。
【００１９】
消音用部材４は、縦管状部２０の内周面に沿う環状の外縁部２４と、外縁部２４より内側の中央部２５とで構成されており、外縁部２４の外周縁が縦管状部２０の内周面に接続されている。なお、外縁部２４に網目２７は形成されていない。また、外縁部２４は、図１に示す内周部２８を筒状にして下方に突出しており、この内周部２８の外周面と、これに対向する縦管状部２０の内周面の間に、竪樋７の上端部を嵌め込むための溝が形成されている。
【００２０】
図１に示すように消音用部材４の中央部２５は、その中心部を頂部２２として山形に盛り上がっている。図４に示すように、頂部２２は平面視円形に形成されており、頂部２２にも網目２７は形成されていない。
【００２１】
頂部２２と外縁部２４は、頂部２２から放射状に突出する複数の接続リブ２３により一体に接続されている。また、前記頂部２２の周方向に複数設けられた接続リブ２３の中間部同士は、平面視円環状の連結リブ２６により一体に接続されている。これにより頂部２２と外縁部２４の間には、前記複数の接続リブ２３と連結リブ２６により仕切られた網目２７（隙間）が多数形成されている。これらリブ２３、２６により形成された各網目２７の幅、すなわち前記隣り合う接続リブ２３の間隔は、外周側に行くにつれて徐々に大きくなっており、これによって頂部２２と外縁部２４の間の部分は頂部２２に近づく程排水効率が低くなっている。
【００２２】
前記消音用部材４が設けられた縦管状部２０に雨水が流入すると、この雨水は全て消音用部材４の多数の網目２７を通過して下流側の竪樋７に流れる。ここで、横筒部１５から縦管状部２０の中央側にまとまった雨水が流入した場合、この雨水は消音用部材４の多数の網目２７を通過して分散することとなる。従って、まとまった雨水がエルボー８の内底面まで落下して大きな音が発生することを抑制できる。また、消音用部材４を通過する雨水のうち、一部は外周側に広がって拡散し、下流側の縦管状部２０の内面や竪樋７の内面に当たり、以後、縦管状部２０の内面や竪樋７の内面に沿ってエルボー８まで流下するため、前記音の発生を一層抑制できる。
【００２３】
また、本実施形態では、前記網状に形成された消音用部材４の中央部２５が盛り上がっている。このため、消音用部材４に上流側から接触した雨水は中央部２５の盛り上がりに沿って外周側に導かれる傾向となる。また、本実施形態では、網状の消音用部材４の排水効率を中心側程低くなるようにしてあり、さらに消音用部材４の中心部となる頂部２２には網目２７を形成していない。このため、消音用部材４を通過する雨水はより一層外周側に導かれる傾向となる。従って、消音用部材４を通過した雨水は、下流側の縦管状部２０の内面や竪樋７の内面に沿って流下しやすくなり、前記音の発生を一層抑制できる。
【００２４】
なお、消音用部材４は網状に形成されているため、雨水に含まれる落ち葉等のゴミが消音用部材４で捕捉されることがあるが、この場合は、前記枡本体１２から蓋体１３を取り外すことで、前記ゴミを縦筒部１４の上端開口部から取り出すことができる。
【００２５】
なお、本実施形態では、消音用部材４の各網目２７の幅を外周側程大きくしたが、例えば消音用部材４に外周側程目の粗い網目２７を形成する等して、消音用部材４の排水効率を中心側程低くなるようにしてもよい。また、本実施形態では、消音用部材４を縦管状部２０と一体に形成したが、縦管状部２０と別体として縦管状部２０に取り付けても構わない。また、消音用部材４は平坦にする等その形状は本実施形態のものに限定されるものではない。また、本実施形態では、消音用部材４を排水枡６に設けたが、その他の縦管状部を有する継手や竪樋に同様の消音用部材４を設けてもよい。
【００２６】
（第二実施形態）
次に第二実施形態について説明する。なお、以下の第二実施形態の説明では、第一実施形態に同一の構成については同一の番号を付与し、また、第一実施形態と重複する構成については説明を省略する。
【００２７】
図５に示す本実施形態の排水枡６は丸型の竪樋７に接続されるものであって、縦筒部１４は円筒状に形成されている。縦筒部１４の下部で構成された縦管状部２０は、竪樋７の上端部に接続される下端部が上方部３０よりも内径及び外径が小さい小径部２９となっている。竪樋７の上端部は小径部２９の外側に嵌め込まれ、このように竪樋７を縦管状部２０に接続した状態では、縦管状部２０の上方部３０の外周面と、竪樋７の外周面とが略面一となる。
【００２８】
本実施形態の消音用部材４は網状に形成された点は第一実施形態と同じであるが、縦管状部２０とは別体に形成されており、円盤状を成している。また、消音用部材４は、図６に示すように円環状の外縁部２４の内側に格子状のリブ３２が形成されており、多数の網目２７のうちの大部分は平面視矩形状に形成されている。
【００２９】
図５に示すように、消音用部材４は、縦管状部２０の内周面における上方部３０と小径部２９の間に形成された段差面３１上に載置され、これによって縦管状部２０内に配置される。この消音用部材４は蓋体１３を枡本体１２から取り外して枡本体１２の上端開口部から取り出すことができる。このため、雨水に含まれる落ち葉等のゴミが消音用部材４で捕捉された場合、このゴミを消音用部材４ごと排水枡６から取り出すことができる。また、古くなった消音用部材４を交換すること等もできる。
【００３０】
本実施形態でも第一実施形態と同様に、まとまった雨水がエルボー８の内底面まで落下して大きな音が発生することを抑制できる。なお、本実施形態では、消音用部材４を排水枡６の段差面３１上に載置して設けたが、その他の手段で排水枡６の縦管状部２０に消音用部材４を取り付けても構わない。また、本実施形態の消音用部材４も第一実施形態と同様に中央部に盛り上がりを形成してもよい。
【００３１】
（第三実施形態）
次に第三実施形態について説明する。なお、第三実施形態は、第二実施形態における消音用部材４を継手３３に設けたものである。このため、以下の第三実施形態の説明では、第二実施形態と同一の構成については同一の番号を付与し、また、第二実施形態と重複する構成については説明を省略する。
【００３２】
本実施形態の排水部材１は図７に示す継手３３であり、この継手３３は例えば図８に示す排水流路２を設ける際に用いられる。図８に示す排水流路２は、第一実施形態における竪樋７を分断して成る上の竪樋３４と下の竪樋３５を備えており、この排水流路２は、上流側から順に設けられた、横引き管５、排水枡６、竪樋３４、継手３３、竪樋３５、及びエルボー８で構成されている。なお、排水枡６には第一実施形態や第二実施形態のように消音用部材４を設けてもよいし、また、排水枡６における消音用部材４を省略しても構わない。
【００３３】
図７に示すように、継手３３は上下に開口した円形縦筒状に形成されており、その全体が縦管状に形成されている。すなわち、本実施形態では継手３３が縦管状部２０となる。継手３３は、上部に丸型の竪樋３４の下端部が挿入され、下端部が丸型の竪樋３５の上端部に挿入される。なお、継手３３と竪樋３４、並びに継手３３と竪樋３５は接着せず、継手３３は竪樋３４及び竪樋３５から取り外して交換できるようになっている。
【００３４】
継手３３の下端部は、上方部３７よりも内径及び外径が小さい小径部３８となっており、小径部３８を竪樋３５の上端部に挿入した状態では、上方部３７の外周面と竪樋３５の外周面とが略面一となる。そして、消音用部材４は、継手３３の内周面における上方部３７と小径部３８の間に形成された段差面３９上に載置され、これによって継手３３内に配置される。
【００３５】
本実施形態も第二実施形態と同様に、まとまった雨水がエルボー８の内底面まで落下して大きな音が発生することを抑制できる。なお、本実施形態の消音用部材４も第一実施形態と同様に中央部に盛り上がりを形成してもよい。
【００３６】
なお、図７の例では、消音用部材４を継手３３の段差面３９上に載置して設けたが、その他の手段で排水枡６の縦管状部２０に消音用部材４を取り付けても構わない。従って、図７の例では継手３３の上方部３７の外周面と竪樋３５の外周面とが略面一となるようにしたが、この間に段差が形成されるものでもあってもよい。
【符号の説明】
【００３７】
１  排水部材
２  排水流路
４  消音用部材
２０  縦管状部
２１  流路
２５  中央部
【図１】
2013068004.tif 000003
【図２】
2013068004.tif 000004
【図３】
2013068004.tif 000005
【図４】
2013068004.tif 000006
【図５】
2013068004.tif 000007
【図６】
2013068004.tif 000008
【図７】
2013068004.tif 000009
【図８】
2013068004.tif 000010